(57)【要約】【課題】  チューナ装置内部の回路部品等の破損を確実に防止することのできるチューナ装置を提供する。【解決手段】  チューナ装置１内部に回路部品４、５を搭載したプリント基板６を、その端面６ａが雌ねじ８の軸芯を通る水平な延長線Ｌ上に位置するようにシャーシ２に固定するとともに、シャーシ２の側壁２ａに外方に突出する信号入力端子７を設け、信号入力端子７が設けられた側壁２ａには、信号入力端子７の近傍に位置して雌ねじ８を形成する。誤って規定寸法以上の長さのビス４０を用いてチューナ装置１を受信機器セットの背面パネル１０に固定しようとしても、ビス４０がプリント基板６の端面６ａに当接してストッパーとして機能し、それ以上の進入が阻止される。【選択図】  図１
2005252455.tif 000002
【特許請求の範囲】
【請求項１】
シャーシに回路部品を搭載したプリント基板が固定されるとともに、一側面に外方に突出する信号入力端子を備え、該シャーシが受信機器セットのパネルにビスを介して固定されるチューナ装置であって、
前記プリント基板は、その端面がビスを挿通する方向の延長線上に位置するように、シャーシに固定されていることを特徴とするチューナ装置。
【請求項２】
前記プリント基板の表裏一面が、ビスの挿通方向と交差する位置において、シャーシと半田を介して固定されていることを特徴とする請求項１に記載のチューナ装置。
【請求項３】
前記プリント基板の表裏両面が、ビスの挿通方向と交差する位置において、シャーシと半田を介して固定されていることを特徴とする請求項１に記載のチューナ装置。
【請求項４】
シャーシに回路部品を搭載したプリント基板が固定されるとともに、一側面に外方に突出する信号入力端子を備え、該シャーシが受信機器セットのパネルにビスを介して固定されるチューナ装置であって、
前記プリント基板の表裏一面に、ビスの挿通方向と交差する位置において、ストッパーが設けられていることを特徴とするチューナ装置。
【請求項５】
前記ストッパーが、半田盛り、ダミーチップ部品あるいはダミー挿入部品であることを特徴とする請求項４に記載のチューナ装置。
【請求項６】
シャーシに回路部品を搭載したプリント基板が固定されるとともに、一側面に外方に突出する信号入力端子を備え、該シャーシが受信機器セットのパネルにビスを介して固定されるチューナ装置であって、
前記シャーシは、その先端部がビスを挿通する方向の延長線上に位置するように、屈曲されていることを特徴とするチューナ装置。
【請求項７】
シャーシに回路部品を搭載したプリント基板が固定されるとともに、一側面に外方に突出する信号入力端子を備え、該シャーシが受信機器セットのパネルに固定されるチューナ装置であって、
前記シャーシに、前記パネルに固定するための外方に突出する固定部材が一体に設けられていることを特徴とするチューナ装置。                    
【発明の詳細な説明】
【技術分野】
【０００１】
本発明は、受信機器セットに内蔵されるチューナ装置に関する。
【背景技術】
【０００２】
図１０（ａ）及び（ｂ）は、従来のチューナ装置の概略構成を示しており、（ａ）はチューナ装置を受信機器セットの背面パネルにビスで固定する状態を説明する分解斜視図、（ｂ）は背面パネルにチューナ装置をビスで固定した状態を一部省略して示す縦断面図である。
【０００３】
一般に、図１０（ａ）及び（ｂ）に示すように、チューナ装置１００は、シャーシ２の内部に回路部品４、５を搭載したプリント基板６を固定するとともに、シャーシ２の側壁２ａに外方に突出する信号入力端子７を設けて構成されている（例えば、特許文献１参照）。
【０００４】
このようなチューナ装置１００は、地上波放送、衛星放送、ＣＡＴＶ（community antenna television system）等の受信機器セットに内蔵される。具体的には、チューナ装置１００の信号入力端子７が設けられたシャーシ２の側壁２ａに、信号入力端子７の近傍に位置して雌ねじ８を形成する一方、受信機器セット（図示しない）の背面パネル１０に、チューナ装置１００の信号入力端子７を挿通する貫通穴１１を形成するとともに、前述した雌ねじ８に対応する位置に取付穴１２を形成している。そして、チューナ装置１００の信号入力端子７を受信機器セットの背面パネル１０の貫通穴１１に挿通し、チューナ装置１００の信号入力端子７が設けられたシャーシ２の側壁２ａを受信機器セットの背面パネル１０に当接させた後、背面パネル１０の取付穴１２からビス４０をチューナ装置１００のシャーシ２の側壁２ａに形成された雌ねじ８にねじ込むことにより、受信機器セットの背面パネル１０にチューナ装置１００が固定される。
【０００５】
このように、受信機器セットにチューナ装置１００がビス固定されることにより、受信機器セットの背面パネル１０から突出する信号入力端子７に外部から信号入力ケーブルを接続しても、接続時の負荷に抗して受信機器セットに対するチューナ装置１００の取り付け強度を確保するようにしている。
【特許文献１】実開平１−１６０６７７号公報
【発明の開示】
【発明が解決しようとする課題】
【０００６】
ところで、上記のような従来のチューナ装置では、ビスを挿通する方向の延長線Ｌ上に回路部品が配置されているため（図１０（ｂ）参照）、誤って規定寸法以上の長さのビスを使用した場合、ビスが回路部品に当たって回路部品を破損したり、また、そのビスがプリント基板の表面上を通過することによってプリント基板に形成されている銅箔の回路パターンを剥離又は切断することがあり、この結果、チューナ装置が正常に動作しなくなるという問題が生じていた。
【０００７】
本発明はこのような状況に鑑みてなされたものであり、チューナ装置内部の回路部品等の破損を確実に防止することのできるチューナ装置を提供することを目的としている。
【課題を解決するための手段】
【０００８】
本発明のチューナ装置は、シャーシに回路部品を搭載したプリント基板が固定されるとともに、一側面に外方に突出する信号入力端子を備え、該シャーシが受信機器セットのパネルにビスを介して固定されるチューナ装置であって、プリント基板は、その端面がビスを挿通する方向の延長線上に位置するように、シャーシに固定されていることを特徴としている。
【０００９】
本発明によれば、プリント基板は、その端面がビスを挿通する方向の延長線上に位置するようにシャーシに固定されていることにより、誤って規定寸法以上の長さのビスを使用してシャーシを受信機器セットのパネルに固定しようとしても、プリント基板の端面がビスのストッパーとして機能することから、ビスによる回路部品やプリント基板の表面に形成されている回路パターンの破損を確実に防止することができる。
【００１０】
上記構成において、プリント基板の表裏一面が、ビスの挿通方向と交差する位置において、シャーシと半田を介して固定されているものとすることが好ましい。
【００１１】
これによって、誤って規定寸法以上の長さのビスを使用してシャーシを受信機器セットのパネルに固定しようとした場合において、ビスがプリント基板の一面側にずれ、さらに奥まで進行しようとした場合であっても、半田がストッパーとして機能することから、ビスによる回路部品や回路パターンの破損を確実に防止することができる。
【００１２】
また、プリント基板の表裏両面が、ビスの挿通方向と交差する位置において、シャーシと半田を介して固定されているものとすることが好ましい。
【００１３】
これによって、ビスがプリント基板の表裏面のどちらかにずれて、さらに奥まで進行しようとした場合であっても、半田がストッパーとして機能することから、ビスによる回路部品や回路パターンの破損を確実に防止することができる。
【００１４】
このような半田を介してプリント基板を固定する場合は、特に、プリント基板の厚みが薄くてビスが上下にずれやすい場合により有効である。
【００１５】
また、本発明のチューナ装置は、シャーシに回路部品を搭載したプリント基板が固定されるとともに、一側面に外方に突出する信号入力端子を備え、該シャーシが受信機器セットのパネルにビスを介して固定されるチューナ装置であって、プリント基板の表裏一面に、ビスの挿通方向と交差する位置において、ストッパーが設けられていることを特徴としている。
【００１６】
本発明によれば、誤って規定寸法以上の長さのビスを使用してシャーシを受信機器セットのパネルに固定しようとしても、ビスがストッパーに当たるので、ビスによる回路部品やプリント基板の表面に形成されている回路パターンの破損を確実に防止することができる。
【００１７】
上記構成において、ストッパーとしては、例えば、半田盛り、ダミーチップ部品あるいはダミー挿入部品を使用することができる。
【００１８】
また、本発明のチューナ装置は、シャーシに回路部品を搭載したプリント基板が固定されるとともに、一側面に外方に突出する信号入力端子を備え、該シャーシが受信機器セットのパネルにビスを介して固定されるチューナ装置であって、シャーシは、その先端部がビスを挿通する方向の延長線上に位置するように、屈曲されていることを特徴としている。
【００１９】
本発明によれば、誤って規定寸法以上の長さのビスを使用してシャーシを受信機器セットのパネルに固定しようとしても、下方に向けてあるいは上方に向けて折り曲げた先端部分がビスのストッパーとして機能することから、ビスによる回路部品やプリント基板の表面に形成されている回路パターンの破損を確実に防止することができる。
【００２０】
また、本発明のチューナ装置は、シャーシに回路部品を搭載したプリント基板が固定されるとともに、一側面に外方に突出する信号入力端子を備え、該シャーシが受信機器セットのパネルに固定されるチューナ装置であって、シャーシはパネルに固定するための外方に突出する固定部材が一体に設けられていることを特徴としている。
【００２１】
本発明によれば、チューナ装置内部に向けてビスを挿通することなく受信機器セットのパネルの外面からチューナ装置を受信機器セットのパネルに固定するので、ビスによって回路部品やプリント基板の表面に形成されている回路パターンを破損することはない。
【００２２】
この場合、外方に突出する固定部材は、例えば、ビスやボルト等の雄ねじを有する部材であって、予めそれらを通すための取付穴をパネルに形成しておき、固定部材をパネルの取付穴に挿通した後、ナットを使用してシャーシとパネルとを固定することができる。
【発明の効果】
【００２３】
本発明のチューナ装置によれば、チューナ装置内部の回路部品や回路パターンの破損を確実に防止することができる。
【発明を実施するための最良の形態】
【００２４】
以下、本発明の実施の形態について、図面を参照して説明する。
【００２５】
＜実施形態１＞
図１は、本実施形態１に係るチューナ装置を受信機器セットの背面パネルにビスで固定した状態を一部省略して示す縦断面図である。
【００２６】
図１に示すチューナ装置１は、シャーシ２の内部に回路部品４、５を搭載したプリント基板６を固定するとともに、シャーシ２の側壁２ａに外方に突出する信号入力端子７を設けて構成されている。そして、チューナ装置１の信号入力端子７が設けられた側壁２ａには、信号入力端子７の近傍に位置して雌ねじ８が形成されている。
【００２７】
ここで、プリント基板６は、その端面６ａが、雌ねじ８の軸芯を通る水平な延長線Ｌ上に位置するように、シャーシ２の側壁２ａに固定されている。
【００２８】
なお、前述したように、受信機器セットの背面パネル１０には、チューナ装置１の信号入力端子７を挿通する貫通穴１１が形成されるとともに、チューナ装置１の雌ねじ８に対応して取付穴１２が形成されている。
【００２９】
このように構成されたチューナ装置１を受信機器セットの背面パネル１０に固定する場合は、チューナ装置１の信号入力端子７を受信機器セットの背面パネル１０の貫通穴１１に挿通し、チューナ装置１の信号入力端子７が設けられたシャーシ２の側壁２ａを受信機器セットの背面パネル１０に当接させた後、背面パネル１０の取付穴１２からビス４０をチューナ装置１のシャーシ２の側壁２ａに形成された雌ねじ８にねじ込むことによって行なう。
【００３０】
従って、誤って規定寸法以上の長さのビス４０を用いてチューナ装置１を受信機器セットの背面パネル１０に固定しようとしても、ビス４０がプリント基板６の端面６ａに当接してストッパーとして機能し、それ以上の進入が阻止される。
【００３１】
この結果、誤って規定寸法以上の長さのビス４０を用いたとしても、ビス４０による回路部品４、５やプリント基板６に形成されている回路パターンの破損を確実に防止することができる。
【００３２】
＜実施形態２＞
図２及び図３は、本実施形態２に係るチューナ装置を受信機器セットの背面パネルにビスで固定した状態を一部省略して示す縦断面図である。
【００３３】
図２に示すチューナ装置１Ａのプリント基板６は、その端面６ａが、雌ねじ８の軸芯を通る水平な延長線Ｌ上に位置するように、シャーシ２の側壁２ａに固定されるとともに、ビス４０を挿通する方向Ｘと交差する位置において、端面６ａの近傍の一面６ｂがシャーシ２の側壁２ａと半田５０を介して固定されている。
【００３４】
従って、誤って規定寸法以上の長さのビス４０を用いてチューナ装置１Ａを受信機器セットの背面パネル１０に固定しようとしても、ビス４０がプリント基板６の端面６ａに当接してストッパーとして機能し、それ以上の進入が阻止される。一方、ビス４０がプリント基板６の端面６ａに当接することなくプリント基板６の上側にずれ、さらに奥まで進行しようとした場合には、半田５０がストッパーとして機能し、それ以上の進入が阻止される。
【００３５】
この結果、誤って規定寸法以上の長さのビス４０を用いるとともに、ビス４０がプリント基板６の上側にずれて、さらに奥まで進行しようとした場合であっても、ビス４０による回路部品４、５やプリント基板６に形成されている回路パターンの破損を確実に防止することができる。
【００３６】
図３に示すチューナ装置１Ｂのプリント基板６は、その端面６ａが、雌ねじ８の軸芯を通る水平な延長線Ｌ上に位置するように、シャーシ２の側壁２ａに固定されるとともに、ビス４０を挿通する方向Ｘと交差する位置において、端面６ａの近傍の一面６ｂと裏面６ｃがシャーシ２の側壁２ａとそれぞれ半田５０及び半田５１を介して固定されている。
【００３７】
この場合も、誤って規定寸法以上の長さのビス４０を用いてチューナ装置１Ｂを受信機器セットの背面パネル１０に固定しようとしても、ビス４０がプリント基板６の端面６ａに当接してストッパーとして機能し、それ以上の進入が阻止される。仮に、ビス４０がプリント基板６の端面６ａに当接することなくプリント基板６の上側にずれた場合は半田盛り５０が、ビス４０がプリント基板６の下側にずれた場合は半田盛り５１がそれぞれストッパーとして機能し、それ以上の進入が阻止される。
【００３８】
この結果、誤って規定寸法以上の長さのビス４０を用いるとともに、ビス４０がプリント基板６の上側あるいは下側にずれて、さらに奥まで進行しようとした場合であっても、ビス４０による回路部品４、５やプリント基板６に形成されている回路パターンの破損を確実に防止することができる。
【００３９】
本実施形態２は、特に、チューナ装置に設置されたプリント基板６の厚みが薄くてビス４０が上下どちらかにずれやすい場合により有効である。
【００４０】
＜実施形態３＞
図４、図５及び図６は、本実施形態３に係るチューナ装置を受信機器セットの背面パネルにビスで固定した状態を一部省略して示す縦断面図である。
【００４１】
図４、図５及び図６に示す各チューナ装置１Ｃ、１Ｄ、１Ｅには、いずれもプリント基板６の端面６ａ近傍において、雌ねじ８の軸芯を通る水平な延長線Ｌ上に位置するように、回路部品４、５よりも手前の表面上にストッパーが配置されている。
【００４２】
具体的には、図４に示すチューナ装置１Ｃでは、半田盛り５２が形成され、また、図５に示すチューナ装置１Ｄでは、ダミーチップ部品５３が、図６に示すチューナ装置１Ｅでは、ダミー挿入部品５４がそれぞれ配置されている。なお、ダミー挿入部品５４の配置は、プリント基板６に穴を明け、その穴にダミー挿入部品５４の一部を嵌挿させることによって行なう。
【００４３】
従って、誤って規定寸法以上の長さのビス４０を用いてチューナ装置１を受信機器セットの背面パネル１０に固定しようとしても、ビス４０がストッパーである半田盛り５２あるいはダミーチップ部品５３又はダミー挿入部品５４に当たり、それ以上の進入が阻止される。
【００４４】
この結果、誤って規定寸法以上の長さのビス４０を用いたとしても、ビス４０による回路部品４、５やプリント基板６に形成されている回路パターンの破損を確実に防止することができる。
【００４５】
＜実施形態４＞
図７は、本実施形態４に係るチューナ装置を受信機器セットの背面パネルにビスで固定した状態を一部省略して示す縦断面図である。
【００４６】
図７に示すチューナ装置１Ｆでは、シャーシ２の側壁２ａの一部が、下方に向けて開口部を有する側面視略コ字状に屈曲されており、その先端部２ｂは、プリント基板６に形成された穴に差し込まれる。ここで、シャーシ２の側壁２ａの折り曲げられた先端部２ｂは雌ねじ８に対向するように設定されている。
【００４７】
従って、誤って規定寸法以上の長さのビス４０を用いてチューナ装置１Ｆを受信機器セットの背面パネル１０に固定しようとしても、ビス４０の先端部がシャーシ２の側壁２ａの折り曲げられた先端部２ｂに当接してストッパーとして機能し、それ以上の進入が阻止される。
【００４８】
この結果、誤って規定寸法以上の長さのビス４０を用いたとしても、ビス４０による回路部品４、５やプリント基板６に形成されている回路パターンの破損を確実に防止することができる。
【００４９】
なお、前述した実施形態においては、シャーシ２を下方に向けて開口部を有する側面視略コ字状に折曲したが、上方に向けて開口部を有するように折曲してもよい。
【００５０】
＜実施形態５＞
図８（ａ）及び（ｂ）は、本実施形態５に係るチューナ装置の概略構成を示しており、（ａ）はチューナ装置を受信機器セットの背面パネルにビスで固定する状態を説明する分解斜視図、（ｂ）は背面パネルにチューナ装置をビスで固定した状態を一部省略して示す縦断面図である。
【００５１】
図８（ａ）及び（ｂ）に示すチューナ装置１Ｇは、シャーシ２の内部に回路部品４、５を搭載したプリント基板６を固定するとともに、シャーシ２の側壁２ａに外方に突出する信号入力端子７を設けて構成されている。そして、チューナ装置１の信号入力端子７が設けられた側壁２ａには、信号入力端子７の近傍に位置して、ねじ部４０ａをシャーシ２の側壁２ａを越えて外方に突出させた固定部材としてのビス４０が一体に設けられている。
【００５２】
このように構成されたチューナ装置１Ｇを受信機器セットの背面パネル１０に固定する場合は、チューナ装置１の信号入力端子７及びビス４０のねじ部４０ａを、それぞれ受信機器セットの背面パネル１０の貫通穴１１及び取付穴１２に挿通し、背面パネル１０にチューナ装置１Ｇのシャーシ２の側壁２ａを当接させた後、ビス４０のねじ部４０ａにナット６０を螺合することによって行なう。
【００５３】
このため、このチューナ装置１Ｇにおいては、チューナ装置１Ｇ内部に向けてビスを挿通することなくチューナ装置１Ｇを背面パネル１０に固定できるので、回路部品４、５やプリント基板６に形成された回路パターンが損傷することはない。
【００５４】
図９（ａ）及び（ｂ）は、本実施形態５に係る他のチューナ装置の概略構成を示しており、（ａ）はチューナ装置を受信機器セットの背面パネルにビスで固定する状態を示す分解斜視図、（ｂ）は背面パネルにチューナ装置をビスで固定した状態を一部省略して示す縦断面図である。
【００５５】
図９（ａ）及び（ｂ）に示すチューナ装置１Ｈも、シャーシ２の内部に回路部品４、５が搭載されたプリント基板６を固定するとともに、シャーシ２の側壁２ａに外方に突出する信号入力端子７を設けて構成されている。そして、チューナ装置１Ｈの信号入力端子７が設けられた側壁２ａの外面には、信号入力端子７の近傍に位置して、雄ねじ部材３１が固定されている。
【００５６】
このように構成されたチューナ装置１Ｈを受信機器セットの背面パネル１０に固定する場合は、チューナ装置１Ｈの信号入力端子７及び雄ねじ部材３１を、それぞれ受信機器セットの背面パネル１０の貫通穴１１及び取付穴１３に挿通し、背面パネル１０にチューナ装置１Ｈのシャーシ２の側壁２ａを当接させた後、その雄ねじ部材３１にナット６１を螺合することによって行なう。
【００５７】
従って、チューナ装置１Ｈにおいても、チューナ装置１Ｈ内部に向けてビスを挿通することなくチューナ装置１Ｈを背面パネル１０に固定できるので、回路部品４、５やプリント基板６に形成された回路パターンが損傷することはない。
【００５８】
なお、以上説明した実施の形態においては、チューナ装置の信号入力用端子がＦ型接栓、ＤＩＮ端子（ＩＥＣコネクター）等であっても、その形態に関わりなく適用可能である。また、チューナ装置が取り付けられる受信機器セットの種類、例えば、地上波放送受信用、衛星放送受信用、ＣＡＴＶ放送受信用に関わらず適用可能である。
【図面の簡単な説明】
【００５９】
【図１】本発明の実施形態１に係るチューナ装置を受信機器セットの背面パネルに固定した状態を一部省略して示す縦断面図である。
【図２】本発明の実施形態２に係るチューナ装置を受信機器セットの背面パネルに固定した状態を一部省略して示す縦断面図である。
【図３】本発明の実施形態２に係る他のチューナ装置を受信機器セットの背面パネルに固定した状態を一部省略して示す縦断面図である。
【図４】本発明の実施形態３に係るチューナ装置を受信機器セットの背面パネルに固定した状態を一部省略して示す縦断面図である。
【図５】本発明の実施形態３に係る他のチューナ装置を受信機器セットの背面パネルに固定した状態を一部省略して示す縦断面図である。
【図６】本発明の実施形態３に係る別のチューナ装置を受信機器セットの背面パネルに固定した状態を一部省略して示す縦断面図である。
【図７】本発明の実施形態４に係るチューナ装置を受信機器セットの背面パネルに固定した状態を一部省略して示す縦断面図である。
【図８】本発明の実施形態５に係る１のチューナ装置を説明する図であり、（ａ）はチューナ装置を受信機器セットの背面パネルに固定する状態を示す分解斜視図、（ｂ）はチューナ装置を受信機器セットの背面パネルに固定した状態を一部省略して示す縦断面図である。
【図９】本発明の実施形態５に係る他のチューナ装置を説明する図であり、（ａ）はチューナ装置を受信機器セットの背面パネルに固定する状態を示す分解斜視図、（ｂ）はチューナ装置を受信機器セットの背面パネルに固定した状態を一部省略して示す縦断面図である。
【図１０】従来のチューナ装置を説明する図であり、（ａ）はチューナ装置を受信機器セットの背面パネルに固定する状態を示す分解斜視図、（ｂ）はチューナ装置を受信機器セットの背面パネルに固定した状態を一部省略して示す縦断面図である。
【符号の説明】
【００６０】
１、１Ａ〜１Ｈ、１００  チューナ装置
２  シャーシ
２ａ  側壁
４、５  回路部品
６  プリント基板
７  信号入力端子
８  雌ねじ
１０  背面パネル
１１  背面パネルの貫通穴
１２、１３  背面パネルの取付穴
３１  雄ねじ部材
４０  ビス
５０、５１  半田
５２  半田盛り
５３  ダミーチップ部品
５４  ダミー挿入部品
６０、６１  ナット
【図１】
2005252455.tif 000003
【図２】
2005252455.tif 000004
【図３】
2005252455.tif 000005
【図４】
2005252455.tif 000006
【図５】
2005252455.tif 000007
【図６】
2005252455.tif 000008
【図７】
2005252455.tif 000009
【図８】
2005252455.tif 000010
【図９】
2005252455.tif 000011
【図１０】
2005252455.tif 000012